(57)【特許請求の範囲】
【請求項１】
壁面または床面に埋込まれて設置される水道用コンセントであって、壁面または床面の表面に当接可能に形成された枠部を前側に有し、流入口、流出口および弁体を有する水栓本体が内蔵された収容部を後側に有する固定枠と、配管が挿通可能な大きさの配管挿通穴および前記収容部が嵌め込み可能な大きさを有し、壁面または床面に埋込み可能に設置されるケース体と、開閉操作を前記弁体に伝達するための伝達機構を介して前記配管に連通する前記流出口から送出される水または湯の流量を調整する流量調整部材を設けたプレート本体を有し、壁面または床面に埋込まれた前記ケース体に壁面または床面の表面側から前記収容部が嵌め込まれた状態で、前記プレート本体の裏側を壁面または床面の表面に当接させながら前記プレート本体を前記枠部に係合するよう構成された化粧プレートとを備え、更に、前記ケース体は、壁面または床面の表面と前記ケース体の前側端面を略面一にするためのスタッドボルトが嵌め込まれる嵌込ボルト孔を有することを特徴とする水道用コンセント。
【請求項２】
前記配管は、蛇腹状の鞘管と、この鞘管に覆われた樹脂パイプとより構成される一方、前記流量調整部材の開閉操作が一次元操作可能に構成されている請求項１に記載の水道用コンセント。
【請求項３】
前記プレート本体の裏側をコンクリートまたはモルタルからなる壁面または床面に当接させる第１の設置状態と、前記プレート本体の裏側をコンクリートまたはモルタル上に貼られたタイルの表面に当接させる第２の設置状態とに使い分けられる水道用コンセントであって、前記第１の設置状態で用いられるリング状のスペーサを備え、このリング状のスペーサは、前記タイルの厚みに略相当する厚みを持ち、前記収容部に外嵌可能な小径部を前側に有し、前記ケース体の前側端面側に嵌め込み可能な形状を持つ大径部を後側に有する請求項１または請求項２に記載の水道用コンセント。
【請求項４】
壁面または床面の表面に当接可能に形成された枠部を前側に有し、流入口、流出口および弁体を有する水栓本体が内蔵された収容部を後側に有する固定枠と、スタッドボルトが嵌め込まれる嵌込ボルト孔、配管が挿通可能な大きさの配管挿通穴および前記収容部が嵌め込み可能な大きさを有し、壁面または床面に埋込み可能に設置されるケース体とを有する水道用コンセントを壁面または床面に埋込むにあたり、予め設定した埋込み位置に前記ケース体を保持する鉄筋、この埋込み位置の前記ケース体を前後に挟む少なくとも一対の型枠部材、前記ケース体を前記鉄筋に保持させるための細い金属製線材および前記一対の型枠部材のうち前記ケース体の表面側に位置する型枠部材の裏面に前記ケース体の前側端面を当接させるために前記鉄筋に保持された前記ケース体を前側に引っ張る機能を持つスタッドボルトを用いて前記埋込み位置に前記ケース体を設置する第１工程と、コンクリートまたはモルタルを打設して前記ケース体を壁面または床面に埋込む第２工程と、前記配管の上流端部を前記配管挿通穴からケース体内に引き出すとともに、前記固定枠に前記引き出された配管の上流端部を挿通しながら前記収容部を壁面または床面の表面側から前記ケース体内に嵌め込んで前記固定枠を壁面または床面に固定する第３の工程と、前記配管の上流端部を前記流出口に連通させて前記配管を前記水栓本体に接続するとともに、前記水栓本体を前記収容部内に固定する第４の工程とを含むことを特徴とする水道用コンセントの壁面または床面埋込み方法。
【請求項５】
前記配管は、蛇腹状の鞘管と、この鞘管に覆われた樹脂パイプとより構成される一方、前記第１工程は、前記ケース体に設けた孔に前記金属製線材を挿通し、この金属製線材を、骨組みされた前記鉄筋に接続して前記埋込み位置に前記ケース体を設置することを含む一方、前記ケース体の表面側に位置する前記型枠部材に通り穴を開けてこれに表面側から前記スタッドボルトを通しこのスタッドボルトの先端を前記嵌込ボルト孔に嵌めてナットで締付けることにより前記ケース体を前側に引っ張り、それによって前記コンクリートまたはモルタルの打設後において壁面または床面の表面と前記ケース体の前側端面が略面一になるようにすることを含み、更に、前記第１工程は、打設される前記コンクリートまたはモルタルが前記配管挿通穴から前記ケース体内に入り込まないよう前記蛇腹状の鞘管の一部を前記ケース体内に突出させた状態で、前記鞘管で前記ケース体を仮固定することを含む請求項４に記載の水道用コンセントの壁面または床面埋込み方法。
【請求項６】
壁面または床面の表面に当接可能に形成された枠部を前側に有し、流入口、流出口および弁体を有する水栓本体が内蔵された収容部を後側に有する固定枠と、スタッドボルトが嵌め込まれる嵌込ボルト孔、配管が挿通可能な大きさの配管挿通穴および前記収容部が嵌め込み可能な大きさを有し、壁面または床面に埋込み可能に設置されるケース体と、開閉操作を前記弁体に伝達するための伝達機構を介して前記配管に連通する前記流出口から送出される水または湯の流量を調整する流量調整部材を設けたプレート本体を有し、壁面または床面に埋込まれた前記ケース体に壁面または床面の表面側から前記収容部が嵌め込まれた状態で、前記プレート本体の裏側を壁面または床面の表面に当接させながら前記プレート本体を前記枠部に係合するよう構成された化粧プレートとを有する水道用コンセントを、前記プレート本体の裏側をコンクリートまたはモルタルからなる壁面または床面に当接させる第１の設置状態と、前記プレート本体の裏側をコンクリートまたはモルタル上に貼られたタイルの表面に当接させる第２の設置状態とに使い分けて、壁面または床面に埋込むにあたり、予め設定した埋込み位置に前記ケース体を保持する鉄筋、この埋込み位置の前記ケース体を前後に挟む少なくとも一対の型枠部材、前記ケース体を前記鉄筋に保持させるための細い金属製線材および前記一対の型枠部材のうち前記ケース体の表面側に位置する型枠部材の裏面に前記ケース体の前側端面を当接させるために前記鉄筋に保持された前記ケース体を前側に引っ張る機能を持つスタッドボルトを用いて前記埋込み位置に前記ケース体を設置する第１工程と、コンクリートまたはモルタルを打設して前記ケース体を壁面または床面に埋込む第２工程と、前記配管の上流端部を前記配管挿通穴からケース体内に引き出すとともに、前記固定枠に前記引き出された配管の上流端部を挿通しながら前記収容部を壁面または床面の表面側から前記ケース体内に嵌め込んで前記固定枠を壁面または床面に固定する第３の工程と、前記配管の上流端部を前記流出口に連通させて前記配管を前記水栓本体に接続するとともに、前記水栓本体を前記収容部内に固定する第４の工程とを含み、更に、前記第１の設置状態では、前記タイルの厚みに略相当する厚みを持ち、前記収容部に外嵌可能な小径部を前側に有し、前記ケース体の前側端面側に嵌め込み可能な形状を持つ大径部を後側に有するリング状のスペーサを用いることを特徴とする水道用コンセントの壁面または床面埋込み方法。
【発明の詳細な説明】
【０００１】
【発明の属する技術分野】
この発明は、水道用コンセントおよびその壁面または床面埋込み方法に関する。
【０００２】
【従来の技術】
本出願人が先に提案（特願２０００−００３４９３号）した水道用コンセント（先行例という）Ｄ’は、本来、図２７に示すように壁Ｗ（または床）に形成した開口Ｓに設置するためのものであるけれども、図２８に示すように、複数の型枠４００を組み合わせて形成したコンクリート壁１０７やコンクリートブロックの前面に、前記先行例の水道用コンセントＤ’より大きく、かつ、これに接続される配管１０９が位置できる程度の空洞１０８を設け、この空洞１０８内に前記はさみ板１０５を外した状態のハウジング本体１０３を前面開口Ｓ’’を残して埋め込み、その後、前面開口Ｓ’’を介して枠体１０２ｂをハウジング本体１０３に嵌め込み、更に、枠体１０２ｂに化粧プレート１０２ａを嵌め込むタイプの施工も可能である。これにより、コンクリートの壁面内に予め位置する前記配管１０９に前記水道用コンセントＤ’が接続されて例えば台所の流し台に置かれた浄水器、食器洗い機、湯沸器などの機器の給水ホースや、洗濯機の給水ホースへ給水したり、散水、園芸、洗車等の用途に用いるノズルの給水ホースに給水できる。
【０００３】
この場合、空洞１０８内に前記先行例の水道用コンセントＤ’を位置させた後空洞１０８内に形成される隙間をコンクリートで打設する必要がある。しかし、前記先行例の水道用コンセントＤ’には、図２９、図３０にも示すように、多数の挿通穴Ｈ，ｈや切欠部１０６ａがハウジング本体１０３に形成されていることから前記挿通穴Ｈ，ｈや切欠部１０６ａからハウジング本体１０３内に打設用の前記コンクリートが進入してハウジング本体１０３内に組み込まれた水栓部材１１０を覆うのを防止するため、打設前にハウジング本体１０３を例えばシールテープで覆って前記挿通穴Ｈ，ｈや切欠部１０６ａを塞ぐ作業が必要となる。
【０００４】
【発明が解決しようとする課題】
ところで、前記ハウジング本体１０３は鉄製であったり、ＳＵＳ製であるけれども、上面部Ｃ、下面部Ｐ、背面部Ａ、右側面部Ｅ、左側面部Ｂの厚みが０．５〜２．０ｍｍと薄いので、打設用の前記コンクリートが固まった後は、その圧力によってハウジング本体１０３が変形するおそれがある。これは、前記挿通穴Ｈ，ｈや切欠部１０６ａが形成されたこともあってハウジング本体１０３の強度が弱くなっているからである。そのため、前面部２をハウジング本体１０３に装着し難くなる。
【０００５】
例えば、無理やり前記枠体１０２ｂをハウジング本体１０３に固定できても、化粧プレート１０２ａを枠体１０２ｂにはめ込むと、開口Ｓ’’に位置する流量調整ハンドル１１１が動かなくなって操作不能となるおそれがある。
【０００６】
この発明は上述の事柄に留意してなされたもので、その目的は、簡単な施工でコンクリートまたはモルタルの壁面または床面に容易に埋込み設置できるとともに、コンクリートまたはモルタルの圧力による変形のおそれのない水道用コンセントおよびその壁面または床面埋込み方法を提供することである。
【０００７】
【課題を解決するための手段】
上記目的を達成するために、この発明の水道用コンセントは、壁面または床面に埋込まれて設置される水道用コンセントであって、壁面または床面の表面に当接可能に形成された枠部を前側に有し、流入口、流出口および弁体を有する水栓本体が内蔵された収容部を後側に有する固定枠と、配管が挿通可能な大きさの配管挿通穴および前記収容部が嵌め込み可能な大きさを有し、壁面または床面に埋込み可能に設置されるケース体と、開閉操作を前記弁体に伝達するための伝達機構を介して前記配管に連通する前記流出口から送出される水または湯の流量を調整する流量調整部材を設けたプレート本体を有し、壁面または床面に埋込まれた前記ケース体に壁面または床面の表面側から前記収容部が嵌め込まれた状態で、前記プレート本体の裏側を壁面または床面の表面に当接させながら前記プレート本体を前記枠部に係合するよう構成された化粧プレートとを備え、更に、前記ケース体は、壁面または床面の表面と前記ケース体の前側端面を略面一にするためのスタッドボルトが嵌め込まれる嵌込ボルト孔を有することを特徴とする。
【０００８】
また、この発明は別の観点から、壁面または床面の表面に当接可能に形成された枠部を前側に有し、流入口、流出口および弁体を有する水栓本体が内蔵された収容部を後側に有する固定枠と、スタッドボルトが嵌め込まれる嵌込ボルト孔、配管が挿通可能な大きさの配管挿通穴および前記収容部が嵌め込み可能な大きさを有し、壁面または床面に埋込み可能に設置されるケース体とを有する水道用コンセントを壁面または床面に埋込むにあたり、予め設定した埋込み位置に前記ケース体を保持する鉄筋、この埋込み位置の前記ケース体を前後に挟む少なくとも一対の型枠部材、前記ケース体を前記鉄筋に保持させるための細い金属製線材および前記一対の型枠部材のうち前記ケース体の表面側に位置する型枠部材の裏面に前記ケース体の前側端面を当接させるために前記鉄筋に保持された前記ケース体を前側に引っ張る機能を持つスタッドボルトを用いて前記埋込み位置に前記ケース体を設置する第１工程と、コンクリートまたはモルタルを打設して前記ケース体を壁面または床面に埋込む第２工程と、前記配管の上流端部を前記配管挿通穴からケース体内に引き出すとともに、前記固定枠に前記引き出された配管の上流端部を挿通しながら前記収容部を壁面または床面の表面側から前記ケース体内に嵌め込んで前記固定枠を壁面または床面に固定する第３の工程と、前記配管の上流端部を前記流出口に連通させて前記配管を前記水栓本体に接続するとともに、前記水栓本体を前記収容部内に固定する第４の工程とを含むことを特徴とする水道用コンセントの壁面または床面埋込み方法を提供する。
【０００９】
また、この発明は更に別の観点から、壁面または床面の表面に当接可能に形成された枠部を前側に有し、流入口、流出口および弁体を有する水栓本体が内蔵された収容部を後側に有する固定枠と、スタッドボルトが嵌め込まれる嵌込ボルト孔、配管が挿通可能な大きさの配管挿通穴および前記収容部が嵌め込み可能な大きさを有し、壁面または床面に埋込み可能に設置されるケース体と、開閉操作を前記弁体に伝達するための伝達機構を介して前記配管に連通する前記流出口から送出される水または湯の流量を調整する流量調整部材を設けたプレート本体を有し、壁面または床面に埋込まれた前記ケース体に壁面または床面の表面側から前記収容部が嵌め込まれた状態で、前記プレート本体の裏側を壁面または床面の表面に当接させながら前記プレート本体を前記枠部に係合するよう構成された化粧プレートとを有する水道用コンセントを、前記プレート本体の裏側をコンクリートまたはモルタルからなる壁面または床面に当接させる第１の設置状態と、前記プレート本体の裏側をコンクリートまたはモルタル上に貼られたタイルの表面に当接させる第２の設置状態とに使い分けて、壁面または床面に埋込むにあたり、予め設定した埋込み位置に前記ケース体を保持する鉄筋、この埋込み位置の前記ケース体を前後に挟む少なくとも一対の型枠部材、前記ケース体を前記鉄筋に保持させるための細い金属製線材および前記一対の型枠部材のうち前記ケース体の表面側に位置する型枠部材の裏面に前記ケース体の前側端面を当接させるために前記鉄筋に保持された前記ケース体を前側に引っ張る機能を持つスタッドボルトを用いて前記埋込み位置に前記ケース体を設置する第１工程と、コンクリートまたはモルタルを打設して前記ケース体を壁面または床面に埋込む第２工程と、前記配管の上流端部を前記配管挿通穴からケース体内に引き出すとともに、前記固定枠に前記引き出された配管の上流端部を挿通しながら前記収容部を壁面または床面の表面側から前記ケース体内に嵌め込んで前記固定枠を壁面または床面に固定する第３の工程と、前記配管の上流端部を前記流出口に連通させて前記配管を前記水栓本体に接続するとともに、前記水栓本体を前記収容部内に固定する第４の工程とを含み、更に、前記第１の設置状態では、前記タイルの厚みに略相当する厚みを持ち、前記収容部に外嵌可能な小径部を前側に有し、前記ケース体の前側端面側に嵌め込み可能な形状を持つ大径部を後側に有するリング状のスペーサを用いることを特徴とする水道用コンセントの壁面または床面埋込み方法を提供する。
【００１０】
この発明において、壁面または床面とは、例えばコンクリートまたはモルタルからなる壁面または床面を意味することは勿論のこと、コンクリートまたはモルタル上に貼られたタイルの表面をも意味する。
【００１１】
また、この発明では、タイルの厚みに略相当する厚みを持ったリング状のスペーサを用いている。これは、仕上げ面をコンクリートまたはモルタル８６からなる壁面ｍの表面ｍ1 とする第１の設置状態の場合でも、あるいは、前記表面ｍ1 にタイル７３を貼ってタイル表面７３ａを仕上げ面とする第２の設置状態の場合でも、第２の設置状態における樹脂パイプ８ｂの軸芯８８およびタイル７３の表面（仕上げ面）７３ａ間の長さＲと、図２５（Ｂ）に示すような第１の設置状態における樹脂パイプ８ｂの軸芯８８および壁面ｍの表面ｍ1 （仕上げ面）間の長さＳとを常に略同一の長さに調整できるからである。これにより、コンクリートまたはモルタル８６を打設したとき、タイル７３を使用するときと、使用しないときの両方に対応することができないという施工上の問題点を解決できる。すなわち、この発明では、第１の設置状態のときにはリング状のスペーサを用いることにより、第１の設置状態における前記長さＳを、第２の設置状態における前記長さＲと略同一の長さに調整できるようにしたものであり、これにより、仕上げ面にタイル７３を使用するときと、使用しないときの両方に対応できるようになり、施工性を飛躍的に向上できる。
【００１２】
【発明の実施の形態】
以下、この発明の実施形態について説明する。図１〜図７は、この発明の一実施形態を示す。
図１〜図７において、１は、コンクリートまたはモルタルの壁面または床面に埋込まれて設置される水道用コンセントである。この実施形態では、水道用コンセント１を壁面に埋込んで設置しているが、この発明は、水道用コンセント１を床面に埋込んで設置する場合にも適用できる。
【００１３】
前記水道用コンセント１は、樹脂製の固定枠２と、壁面ｍに埋込み可能に設置される樹脂製のケース体３と、樹脂製のプレート本体３３および金属製のカバー３４で構成される化粧プレート４とより主としてなる。
【００１４】
前記固定枠２は、裏面と表面ｍ1 を持つ壁面ｍのうち前記表面ｍ1 に当接可能に形成された外形が矩形の枠部５を前側に有し、流入口、流出口および弁体を有する水栓本体６が内蔵された収容部７を後側に有する。
水栓本体６は、流入口６ａと、連結部４８に連通する流出口６ｂと、セラミック製の可動ディスク６ｃおよびセラミック製の固定ディスク６ｄよりなる弁体６ｅとを有する。前記連結部４８は、浄水器、食器洗い機、湯沸器、洗濯機の給水ホース４６の上流端に設けられた継手部材４７が着脱自在である継手部２２に接続される。
また、収容部７には、前記流入口６ａに水または湯（以下単に水という）を供給するための配管８と、前記流入口６ａとを接続する継手としての接続部１８とが収容されている。この実施形態では、接続部１８は水栓本体６に連設されている。そして、収容部７は、前記接続部１８と前記配管８の接続を許容する大きさの接続開口１７を有する。この接続開口１７は、後述するケース体３の配管挿通穴９に連通する。
前記接続部１８は、水栓本体６の下部に一体に連設されている内管１８ａおよび外管１８ｂと、内管１８ａおよび外管１８ｂ間に形成される環状の配管挿入溝Ｍに挿入されている配管８の外周に装着される爪付きの割りリング１８ｃと、袋ナット１８ｄとよりなる。
更に、水道用コンセント１は、流出口６ａから送出可能な水の流量を調整する流量調整部材２０と、この流量調整部材２０の開閉操作を前記弁体６ｅに伝達するための伝達機構２１とを有する。
【００１５】
前記ケース体３は、図４に示すように壁面ｍに埋込み可能に設置されるものであり、配管８が挿通可能な大きさの配管挿通穴９および前記収容部７が嵌め込み可能な大きさの穴３ａを有する略筒状のケース本体１０と、このケース本体１０と一体に成形されケース体３の背面部を構成する平面視略矩形の板状部１１とより構成される。この実施形態では、前記配管８が、蛇腹状の鞘管８ａと、この鞘管８ａによって覆われて保護される例えば水道用架橋ポリブテン管または水道用架橋ポリエチレン管などの耐久性に優れた樹脂パイプ８ｂとより構成されている。
【００１６】
そして、前記ケース体３は、予め設定した埋込み位置に、図８に示すように横置き状態で設置される一方、前記収容部７は、これを横置き状態でケース体３の穴３ａに挿入できるよう有底略筒状に形成されている。１２は、固定枠２の背面部、１３は、収容部７の胴部で、背面部１２と胴部１３は一体成形されている。
【００１７】
なお、水道用コンセント１を床面に埋込んで設置する場合は、予め設定した埋込み位置に、ケース体３を縦置き状態で設置するとともに、収容部７を縦置き状態でケース体３の穴３ａに挿入する。
【００１８】
以下、ケース体３について詳述する。
【００１９】
前記板状部１１は、四隅に細い金属製線材が挿通可能な孔１４を有する。更に、前記板状部１１は、内面中央の位置に、壁面ｍの表面ｍ1 とケース体３の前側端面ｑを略面一にするためのスタッドボルト３１が嵌め込まれる嵌込ボルト孔３２を有する。
【００２０】
前記胴部１３は、板状部１１の表面ｎからケース本体１０の前側端面ｑにかけて延設された多数の補強リブ１５を外周面ｄにおける周方向に沿って有する。この補強リブ１５は、胴部１３に一体成形されている。そして、これら多数の補強リブ１５によって、ケース体１３を壁面ｍに埋込むために打設したコンクリートまたはモルタルが固まった後にコンクリートまたはモルタルの圧力に耐えることのできる強度を有するケース体３を得ることができる。なお、水道用コンセント１の壁面ｍへの埋込みの手順を示す図８（Ａ）には補強リブ１５が省略されている。
【００２１】
また、ケース体３は、前記配管挿通穴９をケース本体１０の胴部に有する。この実施形態ではケース体３を横置き状態で設置するので、前記配管挿通穴９はケース本体１０の胴部の下面部分に位置することになる。そして、前記配管挿通穴９には、打設されるコンクリートまたはモルタルが配管挿通穴９からケース体３内に入り込まないよう鞘管８ａの先端部Ｓをケース本体１０の穴３ａ内に突出させてある（図８参照）。この実施形態では配管挿通穴９に鞘管８ａを一山押し込んで、前記打設されるコンクリートまたはモルタルが配管挿通穴９から穴３ａ内に入り込まないように構成されている。
【００２２】
次に、固定枠２について説明する。
【００２３】
収容部７の胴部１３は、前記流量調整部材２０および伝達機構２１の占有空間を得るための開口１６を有するとともに、ケース体３の配管挿通穴９に連通する前記接続開口１７を有する。
【００２４】
図１２に示すように、２３，２３は、ねじ２４の固定孔で、左右対称位置に水栓本体６のの固定片２５の長さに対応する間隔を有して収容部７の背面部１２に設けてある。この固定孔２３には内周に雌ねじ部が形成された小径のプラグ（図示せず）がはめ込まれ、前記雌ねじ部に前記ねじ２４が螺合する。固定片２５は、ねじ２４が挿通可能なねじ挿通穴３０を有する。
【００２５】
また、固定枠２は、前記開口１６に対応する位置の枠部５の端面ｅに一対の係止爪２６を有するとともに、前記接続開口１７に対応する位置の枠部５の端面ｆに一対の係止爪２７を有する。
【００２６】
また、枠部５は、図１、図２４に示すように、四隅にねじ２８が挿通可能なねじ挿通穴２９を有する。これにより、壁面ｍの表面ｍ1 に固定枠２を固定できる。４１は、接続部１８からの漏水４３を水受け４２に案内するための案内板で、枠部５に設けた一対の係止爪２７，２７間に位置する。
【００２７】
次に、化粧プレート４と、伝達機構２１を含む流量調整部材２０の開閉操作の機構とについて説明する。
【００２８】
化粧プレート４のプレート本体３３には、流量調整部材２０が取り付けてある。この流量調整部材２０は、操作爪２０ａとカイド片２０ｂと連結片２０ｃよりなる。
【００２９】
伝達機構２１は、弁体６ｅの可動ディスク６ｃに嵌合係止される下面部を有する弁棒２１ａと、この弁棒２１ａの軸心Ｚまわりに回動する回動片２１ｂとよりなる。そして、回動片２１ｂは、連結片２０ｃに設けた一対の係止溝２０ｄに係合する下向きの一対の係止突起２１ｃを有する。
【００３０】
更に、３３ａ，３３ａは、プレート本体３３の背面（裏面）ｇの上下に設けた一対の案内レールである。この案内レール３３ａ，３３ａ間にカイド片２０ｂを差し込むことでカイド片２０ｂが、プレート本体３３の背面（裏面）ｇの横方向（両矢印Ｘで示す方向）に一次元移動することが可能である。流量調整部材２０の開閉操作が一次元操作可能に構成される。これにより、弁棒の軸心のまわりに流量調整部材を回動させる構成を採用している水道用コンセントに比して、固定枠２の収容部７内の水栓本体６収容空間、ひいては、ケース体３のケース本体１０を小型化できるとともに、固定枠２の壁面ｍの表面ｍ1 からの前出しを小さくでき、ひいては化粧プレート４からの操作爪２０ａの前出しも小さくできて薄型の水道用コンセント１を提供できる。
【００３１】
また、プレート本体３３は、固定枠２の枠部５の対向する一対の端面ｅ，ｆに設けた係止爪２６，２７に係合する係合突起（図示せず）を裏面側に有する。すなわち、化粧プレート４は、壁面ｍに埋込まれたケース体３に壁面ｍの表面側から固定枠２の収容部７が嵌め込まれた状態で、プレート本体３３の裏側を壁面ｍの表面ｍ1 に当接させながらプレート本体３３を前記枠部５に係合する（図１参照）よう構成されている。図１において、８８は、樹脂パイプ８ｂの軸芯で、軸芯８８および壁面ｍの表面ｍ1 間の長さＬは、常に例えば２９ｍｍに設定されている。
【００３２】
４０は、一対のヒンジ部で、カバー３４が枢支されており、これによりプレート本体３３の前側を不使用に覆うことができ、見栄えがするとともに、水道用コンセント１を例えば屋外に設置した場合においては雨水の侵入を防止でき、汚れの防止にも寄与する。なお、４５は化粧キヤップである。
【００３３】
以下、水道用コンセント１の壁面ｍへの埋込みの手順について説明する。
【００３４】
まず、図８（Ａ）に示すように、配管挿通穴９に鞘管８ａを一山押し込んで予め設定した埋込み位置にケース体３を仮固定する。すなわち、鞘管８ａの先端部Ｓをケース本体１０の穴３ａ内に突出させてある。これにより、打設されるコンクリートまたはモルタルが配管挿通穴９からケース体３内に入り込むのを防止できる。
【００３５】
この状態で、図８（Ｂ）に示すように、複数本の鉄筋５０を縦横に組付けてケース体３を保持するための骨組みを形成する。続いて、この埋込み位置のケース体３を一対の型枠部材で前後に挟む。５１は、前記一対の型枠部材のうちケース体３の表面側に位置する型枠部材で、この型枠部材５１の裏面ｒ側にケース体３の前側端面ｑを位置させる。
【００３６】
続いて、図９に示すように、ケース体３の孔１４に細い金属製線材５３を挿通し、この金属製線材５３を、骨組みされた前記鉄筋５０に針金５６を用いて接続して前記埋込み位置にケース体３を設置する。
【００３７】
続いて、図１０に示すように、型枠部材５１の裏面ｒにケース体３の前側端面ｑが当たるようにスタッドボルト３１で鉄筋５０に保持されたケース体３を前側に引っ張り固定する。すなわち、ケース体３の表面側に位置する前記型枠部材５１に通り穴（図示せず）を開けてこれに表面側から前記スタッドボルト３１を通しこのスタッドボルト３１の先端３１ａを嵌込ボルト孔３２に嵌めてナット６１で締付けることによりケース体３を前側に引っ張り、それによって、前記一対の型枠部材間にコンクリートまたはモルタルを流し込み打設を行った後において、図１１（Ｂ）に示すように、壁面ｍの表面（仕上げ面）ｍ1 とケース体３の前側端面ｑが略面一になるようにできる。そして、図１１（Ａ）に示すように、穴３ａ内に突出させた先端部Ｓのまわりをコーキングする。図１０において、７０は、型枠部材５１に設けた通り穴の表面ｋのまわりに当てるための座金である。
この場合、ケース体３の胴部１３は、多数の補強リブ１５によってコンクリートまたはモルタルが固まった後にコンクリートまたはモルタルの圧力に耐えることができるとともに、ケース体３自体がコンクリートまたはモルタルに強く接着しているのでケース体３が変形する事態を確実に回避できる。
【００３８】
次に、図１２に示すように、固定枠２から水栓本体６を取り外し、図１３に示すように、固定枠２を取り付けるために、壁面ｍの表面ｍ1 で穴３ａのまわりに固定枠取り付け用の孔８０をドリルを用いて穿設し、孔８０のゴミを取り除いて内周に雌ねじ部が形成された小径のプラグ８１をはめ込む。この雌ねじ部に前記ねじ２８が螺合する。
【００３９】
続いて、図１４に示すように、鞘管８ａ内の樹脂パイプ８ｂの下流端部Ｔを配管挿通穴９から穴３ａ内に引き出し、更に、図１５に示すように、下流端部Ｔを固定枠２に挿通しながら前記収容部７を壁面ｍの表面ｍ1 側から穴３ａ内に嵌め込んで固定枠２を壁面ｍに固定する。なお、下流端部Ｔを引き出す場合、樹脂パイプ８ｂの傷つき防止のためにウエスを壁面ｍに当てている。
【００４０】
続いて、図１６に示すように、水受け４２に設けた穴８４に下流端部Ｔを通し水受け４２を案内板４１上に載置する。
【００４１】
続いて、図１７に示すように、接続部１８を下流端部Ｔに接続して水栓本体６と樹脂パイプ８ｂを接続する。
【００４２】
続いて、図１８に示すように、水栓本体６を穴３ａに挿入し、ねじ２４を用いて固定枠２に固定する。
【００４３】
その後、通水して各接合部の水漏れを点検する。
【００４４】
続いて、図１９に示すように、化粧プレート４を固定枠２に取り付けるために、壁面ｍの表面ｍ1 で枠部５のまわりに化粧プレート取り付け用の孔８８をドリルを用いて穿設し、孔８８のゴミを取り除いて内周に雌ねじ部が形成された小径のプラグ８９をはめ込む。この雌ねじ部にねじ９０（図４参照）が螺合する。
【００４５】
続いて、図２０に示すように、固定枠２の係止爪２６，２７と化粧プレート４の係合突起を係合させて固定枠２に化粧プレート４をはめ込み、図２１に示すように、化粧プレート４をねじ２８を用いて壁面ｍの表面ｍ1 に固定する。このとき、図１に示すように、プレート本体３３の裏側は壁面ｍの表面ｍ1 に当接している。そして、前記壁面ｍの表面ｍ1 に対する化粧プレート４の当たり部分をコーキングする。
【００４６】
埋込み完了後、図２２に示すように、継手部材４７を継手２２に差し込み、通水して水道用コンセント１の作動および各接合部の水漏れを点検する。
【００４７】
上記実施形態では、仕上げ面をコンクリートまたはモルタルからなる壁面ｍの表面ｍ1 とし、この表面ｍ1 にプレート本体３３の裏側を当接させることで水道用コンセント１を設置していた。この設置状態を第１の設置状態ということにする。
【００４８】
図２３〜図２６は、コンクリートまたはモルタルを打設したとき、仕上げ面にタイルを使用するときと、使用しないときの両方に対応することができないという施工上の問題点を解決したこの発明の他の実施形態を示す。すなわち、この実施形態では、樹脂パイプ８ｂの軸芯８８および壁面ｍの表面ｍ1 間の長さＳ、また、樹脂パイプ８ｂの軸芯８８およびタイル７３の表面７３ａ間の長さＲが常に上記実施形態での長さＬ（例えば２９ｍｍ）に調整された状態で、プレート本体３３の裏側を、コンクリートまたはモルタルからなる壁面ｍの表面ｍ1 のみならず、コンクリートまたはモルタル上に貼られたタイル７３の表面７３ａにも当接させることができるよう構成されている
なお、プレート本体３３の裏側をコンクリートまたはモルタル８６上に貼られたタイル７３の表面７３ａに当接させることで水道用コンセント１を設置する状態を第２の設置状態ということにする。また、図２３〜図２６において、図１〜図２２で示した符号と同一のものは、同一または相当物である。
【００４９】
図２３〜図２６において、水道用コンセント１は、樹脂製の固定枠２と、壁面ｍに埋込み可能に設置される樹脂製のケース体３と、図４に示すように樹脂製のプレート本体３３および金属製のカバー３４で構成される化粧プレート４と、固定枠２およびケース体３間に介在するリング状のスペーサ７２とより主としてなる。
【００５０】
前記スペーサ７２は、図２５に示すように、前記第２の設置状態のときに用いられる。
【００５１】
そして、この実施形態が、上記実施形態と異なる点は、スペーサ７２の有無以外に、図４に示した配管挿通穴９よりも大きな配管挿通穴９’を有する点である。配管挿通穴９’は、図４に示したケース本体１０における配管挿通穴９の前側部分９ｆを切欠いて構成されている。すなわち、ケース体３の板状部１１の内面ｅおよび樹脂パイプ８ｂの軸芯８８間の長さは、図１ではＭであり、この実施形態の図２６では、Ｍ’であるが、この実施形態は前記長さＲを基準にしていることから、水栓本体６を図１に示す状態から前側に移動させることにより、Ｍ’＞Ｍで、かつ、長さＳが長さＬ（例えば２９ｍｍ）と同じ長さになるまで軸芯８８の位置を図２６に示す状態に前進させる必要があるからである。
【００５２】
更に、前記スペーサ７２は、タイル７３の厚みＴに略相当する厚みｔを持ち、前記収容部７の胴部１３に外嵌可能な小径部７３を前側に有し、前記ケース体３の前側端面を含む外周面ｄに嵌め込み可能な形状を持つ大径部７４を後側に有する。
【００５３】
而して、前記第２の設置状態では、図２３（Ａ）に示すように、型枠部材５１の裏面ｒにケース体３の前側端面ｑが当たるようにスタッドボルト３１で鉄筋に保持されたケース体３を前側に引っ張り固定する。すなわち、ケース体３の表面側に位置する前記型枠部材５１に通り穴５１ａを開けてこれに表面側から前記スタッドボルト３１を通しこのスタッドボルト３１の先端３１ａを嵌込ボルト孔３２に嵌めてナット６１で締付けることによりケース体３を前側に引っ張り、それによって、型枠部材５１の裏面ｒ内にコンクリートまたはモルタル８６を流し込み打設を行った後において、型枠部材５１を取り外し、図２３（Ｂ）に示すように、コンクリートまたはモルタル８６からなる壁面の表面８６ｃに、穴３ａを塞がないようにタイル７３を貼り付ける。
【００５４】
次に、樹脂パイプ８ｂの下流端部Ｔを配管挿通穴９’から穴３ａ内に引き出し、下流端部Ｔを固定枠２の前記収容部７内に挿通しながら前記収容部７をタイル７３の表面７３ａ側から穴３ａ内に嵌め込むとともに、枠部５をタイル７３の表面７３ａに固定して固定枠２をコンクリートまたはモルタル８６に固定する。
【００５５】
続いて、接続部１８を下流端部Ｔに接続して水栓本体６と樹脂パイプ８ｂを接続する。続いて、化粧プレート４を固定枠２に取り付ける。この時、プレート本体３３の裏側はタイル７３の表面７３ａに当接する。
【００５６】
一方、前記第１の設置状態では、図２５（Ａ）に示すように、型枠部材５１の裏面ｒにケース体３がはめ込まれたスペーサ７２の小径部７３の前側端面ｑ’が当たるようにスタッドボルト３１で鉄筋に保持されたケース体３を前側に引っ張り固定する。すなわち、ケース体３の表面側に位置する前記型枠部材５１に通り穴５１ａを開けてこれに表面側から前記スタッドボルト３１を通しこのスタッドボルト３１の先端３１ａを嵌込ボルト孔３２に嵌めてナット６１で締付けることによりケース体３を前側に引っ張り、それによって、型枠部材５１の裏面ｒ内にコンクリートまたはモルタル８６を流し込み打設を行った後において、図２５（Ｂ）に示すように、コンクリートまたはモルタル８６からなる壁面ｍの表面ｍ1 とケース体３の前側端面ｑ’が略面一になるようにできる。
【００５７】
次に、樹脂パイプ８ｂの下流端部Ｔを配管挿通穴９’から穴３ａ内に引き出し、下流端部Ｔを固定枠２の収容部７に挿通しながら前記収容部７を表面ｍ1 側から穴３ａ内に嵌め込んで固定枠２の枠部５を表面ｍ1 を介してコンクリートまたはモルタル８６に固定する。
【００５８】
続いて、接続部１８を上流端部Ｔに接続して水栓本体６と樹脂パイプ８ｂを接続する。続いて、化粧プレート４を固定枠２に取り付ける。この時、プレート本体３３の裏側は壁面ｍの表面ｍ1 に当接する。
【００５９】
【発明の効果】
以上説明したようにこの発明によれば、簡単な施工で壁面または床面に容易に埋込み設置できるとともに、コンクリートまたはモルタルの圧力による変形のおそれのない水道用コンセントおよびその壁面または床面埋込み方法を提供することができる。
【００６０】
また、水道用コンセントを、化粧プレートのプレート本体の裏側をコンクリートまたはモルタルからなる壁面または床面に当接させる第１の設置状態と、前記プレート本体の裏側をコンクリートまたはモルタル上に貼られたタイルの表面に当接させる第２の設置状態とに使い分けるにあたり、タイルの厚みに略相当する厚みを持ったリング状のスペーサを第１の設置状態のときに用いたので、第２の設置状態における樹脂パイプの軸芯およびタイルの表面（仕上げ面）間の長さと、第１の設置状態における樹脂パイプの軸芯および壁面の表面（仕上げ面）間の長さとを常に略同一の長さに調整できる。これにより、これにより、仕上げ面にタイルを使用するときと、使用しないときの両方に対応できるようになり、施工性を飛躍的に向上できる。
【図面の簡単な説明】
【図１】この発明の一実施形態を示す構成説明図である。
【図２】上記実施形態において、化粧プレートを取り外したときの正面図である。
【図３】上記実施形態における化粧プレートの正面図である。
【図４】上記実施形態における分解斜視図である。
【図５】上記実施形態の化粧プレートを示す斜視図である。
【図６】上記実施形態を示す側面図である。
【図７】上記実施形態の化粧プレートに給水ホースを取り付けた状態を示す斜視図である。
【図８】（Ａ）は、上記実施形態のケース体を仮固定した状態を示す図である。
（Ｂ）は、上記実施形態において、埋込み位置にケース体をセットした状態を示す図である。
【図９】  上記実施形態のケース体を鉄筋に保持した状態を示す図である。
【図１０】  上記実施形態のケース体をスタッドボルトを用いて前側に引っ張る動作の直前の状態を示す図である。
【図１１】  （Ａ）は、上記実施形態において、コンクリートまたはモルタルの壁面に埋込まれたケース体と鞘管を示す図である。
（Ｂ）は、上記実施形態において、コンクリートまたはモルタルの壁面に埋込まれたケース体を示す図である。
【図１２】上記実施形態の固定枠から水栓本体を取り外した状態を示す図である。
【図１３】上記実施形態の固定枠をコンクリートまたはモルタルの壁面に取り付けるための動作を示す図である。
【図１４】上記実施形態のケース体から配管を引き出す動作を示す図である。
【図１５】上記実施形態の固定枠を配管に通してコンクリートまたはモルタルの壁面に取り付けるための動作を示す図である。
【図１６】上記実施形態の固定枠に通された配管を水受けに通すための動作を示す図である。
【図１７】上記実施形態の水栓本体を配管に接続した状態を示す図である。
【図１８】上記実施形態の水栓本体を固定枠に固定した状態を示す図である。
【図１９】上記実施形態の化粧プレートを固定枠に取り付けるとともに、コンクリートまたはモルタルの壁面に取り付けるための動作を示す図である。
【図２０】上記実施形態の化粧プレートと固定枠を示す図である。
【図２１】上記実施形態の化粧プレートを固定枠に取り付ける状態を示す図である。
【図２２】上記実施形態において、給水ホース取り付けた状態を示す図である。
【図２３】（Ａ）は、この発明の他の実施形態における埋込み動作の前半を示す構成説明図である。
（Ｂ）は、上記他の実施形態における埋込み動作の後半を示す構成説明図である。
【図２４】上記他の実施形態における埋込み動作で用いた要部を示す分解斜視図である。
【図２５】（Ａ）は、この発明の他の実施形態における別の埋込み動作の前半を示す構成説明図である。
（Ｂ）は、上記他の実施形態における別の埋込み動作の後半を示す構成説明図である。
【図２６】上記他の実施形態における別の埋込み動作で得られた水道用コンセントを示す構成説明図である。
【図２７】従来例の水道用コンセントの取り付け状態を示す図である。
【図２８】従来例のコンクリート壁を示す要部斜視図である。
【図２９】  従来例の水道用コンセントのハウジング本体を示す斜視図である。
【図３０】  従来例の水道用コンセントのハウジング本体を示す斜視図である。
【符号の説明】
１…水道用コンセント、２…固定枠、３…ケース体、４…化粧プレート、５…枠部、６ａ…流入口、６ｂ…流出口、６ｅ…弁体、６…水栓本体、７…収容部、８…配管、９…配管挿通穴、２０…流量調整部材、２１…伝達機構、３１…スタッドボルト、３２…嵌込ボルト孔、３３…プレート本体、ｍ…壁面、ｍ1 …表面。
【図１】
0003978075.tif 000002
【図２】
0003978075.tif 000003
【図３】
0003978075.tif 000004
【図４】
0003978075.tif 000005
【図５】
0003978075.tif 000006
【図６】
0003978075.tif 000007
【図７】
0003978075.tif 000008
【図８】
0003978075.tif 000009
【図９】
0003978075.tif 000010
【図１０】
0003978075.tif 000011
【図１１】
0003978075.tif 000012
【図１２】
0003978075.tif 000013
【図１３】
0003978075.tif 000014
【図１４】
0003978075.tif 000015
【図１５】
0003978075.tif 000016
【図１６】
0003978075.tif 000017
【図１７】
0003978075.tif 000018
【図１８】
0003978075.tif 000019
【図１９】
0003978075.tif 000020
【図２０】
0003978075.tif 000021
【図２１】
0003978075.tif 000022
【図２２】
0003978075.tif 000023
【図２３】
0003978075.tif 000024
【図２４】
0003978075.tif 000025
【図２５】
0003978075.tif 000026
【図２６】
0003978075.tif 000027
【図２７】
0003978075.tif 000028
【図２８】
0003978075.tif 000029
【図２９】
0003978075.tif 000030
【図３０】
0003978075.tif 000031